(57)【要約】【課題】ハイブリッドなファインダ装置を通し撮影者の目に投影する画像を見やすい画像とする。【解決手段】被写体側ファインダ窓と撮影者側ファインダ覗き窓との間に配置されたハーフミラーと、該ハーフミラーに表示情報を反射させ前記撮影者側ファインダ覗き窓の方向に前記表示情報を投影する表示装置と、前記ハーフミラーを透過した被写体からの入射光像に前記表示情報を重ねて投影するとき前記被写体の明るさを判断する制御手段（ステップＳ１）と、該明るさが所定閾値以上であるか否かにより前記表示装置に表示する情報の表示色を決定する色決定手段（ステップＳ２，Ｓ３）とを備える。【選択図】図５
2012063643.tif 000002
【特許請求の範囲】
【請求項１】
被写体側ファインダ窓と撮影者側ファインダ覗き窓との間に配置されたハーフミラーと、該ハーフミラーに表示情報を反射させ前記撮影者側ファインダ覗き窓の方向に前記表示情報を投影する表示装置と、前記ハーフミラーを透過した被写体からの入射光像に前記表示情報を重ねて投影するとき前記被写体の明るさを判断する制御手段と、該明るさが所定閾値以上であるか否かにより前記表示装置に表示する情報の表示色を決定する色決定手段とを備えるファインダ表示制御装置。
【請求項２】
請求項１に記載のファインダ表示制御装置であって、前記表示色として黒色以外の有彩色を用いるファインダ表示制御装置。
【請求項３】
請求項１又は請求項２に記載のファインダ表示制御装置であって、前記被写体からの入射光像に重ねて投影する前記表示情報が撮影条件情報であるファインダ表示制御装置。
【請求項４】
請求項１乃至請求項３のいずれか１項に記載のファインダ表示制御装置であって、前記表示情報の表示色が前記入射光像の支配的な背景色と一致或いは近い色のときは前記表示色を前記背景色と異なる色に変更するファインダ表示制御装置。
【請求項５】
請求項１乃至請求項４のいずれか１項に記載のファインダ表示制御装置であって、前記明るさの情報はカラー画像撮像用の固体撮像素子の出力信号で判断するファインダ表示制御装置。
【請求項６】
請求項４に記載のファインダ表示制御装置であって、前記背景色の情報はカラー画像撮像用の固体撮像素子の出力信号で判断するファインダ表示制御装置。
【請求項７】
請求項１乃至請求項６のいずれか１項に記載のファインダ表示制御装置であって、前記情報の表示色は該情報毎に異なる色にするファインダ表示制御装置。
【請求項８】
被写体側ファインダ窓と撮影者側ファインダ覗き窓との間に配置されたハーフミラーと、該ハーフミラーに表示情報を反射させ前記撮影者側ファインダ覗き窓の方向に前記表示情報を投影する表示装置とを備えるファインダ装置のファインダ表示制御方法であって、前記ハーフミラーを透過した被写体からの入射光像に前記表示情報を重ねて投影するとき前記被写体の明るさを判断し、該明るさが所定閾値以上であるか否かにより前記表示装置に表示する情報の表示色を決定するファインダ表示制御方法。
【請求項９】
請求項８に記載のファインダ表示制御方法であって、前記表示色として黒色以外の有彩色を用いるファインダ表示制御方法。
【請求項１０】
請求項８又は請求項９に記載のファインダ表示制御方法であって、前記被写体からの入射光像に重ねて投影する前記表示情報が撮影条件情報であるファインダ表示制御方法。
【請求項１１】
請求項８乃至請求項１０のいずれか１項に記載のファインダ表示制御方法であって、前記表示情報の表示色が前記入射光像の支配的な背景色と一致或いは近い色のときは前記表示色を前記背景色と異なる色に変更するファインダ表示制御方法。
【請求項１２】
請求項８乃至請求項１１のいずれか１項に記載のファインダ表示制御方法であって、前記明るさの情報はカラー画像撮像用の固体撮像素子の出力信号で判断するファインダ表示制御方法。
【請求項１３】
請求項１１に記載のファインダ表示制御方法であって、前記背景色の情報はカラー画像撮像用の固体撮像素子の出力信号で判断するファインダ表示制御方法。
【請求項１４】
請求項８乃至請求項１３のいずれか１項に記載のファインダ表示制御方法であって、前記情報の表示色は該情報毎に異なる色にするファインダ表示制御方法。
【請求項１５】
カラー画像撮像用の固体撮像素子と、請求項１乃至請求項７のいずれか１項に記載のファインダ表示制御装置とを搭載した撮像装置。
【発明の詳細な説明】
【技術分野】
【０００１】
本発明は、光学式ビューファインダと電子ビューファインダの両方を併せ持つハイブリッドなファインダ装置の表示制御方法及びその装置並びにこのファインダ装置を搭載したデジタルカメラに関する。
【背景技術】
【０００２】
固体撮像素子を搭載し、撮像画像データをカメラ内でデジタル処理して記録媒体に保存するデジタルカメラにも、従来は、光学式ビューファインダ（以下、ＯＶＦともいう。）が設けられ、撮影者はファインダを覗き、被写体の構図などを目視し、シャッタボタンを押す様になっていた。
【０００３】
しかし、近年のデジタルカメラは、光学式ビューファインダを設けずに、カメラ背面に設けた大型液晶表示装置に固体撮像素子から出力されるスルー画像を表示し、ファインダ代わりとするのが一般的になっている。
【０００４】
しかしながら、カメラ背面の大型液晶表示装置にスルー画像を表示する形式のデジタルカメラでは、このスルー画像を確認するためにカメラを顔から離して見なければならず、シャッタボタンを押したとき手振れが発生してしまうという問題がある。また、固体撮像素子から出力され画像処理されたスルー画像を表示するため、実際の被写体の状態に比べて若干のタイムラグが存在するという課題もある。
【０００５】
これに対し、光学式ビューファインダの代わりに、電子ビューファインタ（以下、ＥＶＦともいう。）を搭載したデジタルカメラもある。電子ビューファインダは、小さなファインダの覗き窓内に小型液晶表示装置を設け、ここに固体撮像素子から出力されるスルー画像を表示し、撮影者に被写体の構図などを確認させるものである。
【０００６】
しかしながら、電子ビューファインダは、スルー画像を表示する小型液晶表示装置の画素数が少ないため、粗い画像しか表示できず、撮影者が被写体の細かな部分の確認ができないという課題がある。また、上記と同様に、固体撮像素子から出力され画像処理されたスルー画像を表示するため、実際の被写体の状態に比べて若干のタイムラグが存在するという課題もある。
【０００７】
近年のデジタルカメラには、上述した種々の問題や課題がある他、カメラファンの中には、光学式ビューファインダの復活を望む声も多い。このため、例えば下記の特許文献１に記載されている様なハイブリッドなファインダ装置をデジタルカメラに搭載することが考えられている。
【０００８】
このハイブリッドなファインダ装置は、光学式ビューファインダの光路の途中に斜め４５度のハーフミラーを置き、このハーフミラーに、ＥＶＦ用小型液晶表示装置の画面に表示した画像の光を投射する構成となっている。そして、光学式ビューファインダを通した被写体の光像と、ＥＶＦ用小型液晶表示装置の表示画像のいずれか一方を選択してファインダ接眼レンズを通して撮影者の目に投影し、或いは、両者を混合して撮影者の目に投影する。
【先行技術文献】
【特許文献】
【０００９】
【特許文献１】特開平３−２９２０６７号公報
【発明の概要】
【発明が解決しようとする課題】
【００１０】
ハイブリッドなファインダ装置をカメラに搭載し、上述した様に、光学式ビューファインダを通した被写体の光像と、電子ビューファインダの表示画像とを混合して撮影者の目に投影する場合、一方が自然界の光情報であり、他方が人工的な光情報であるため、被写体シーンによって見づらい画像になってしまうことがある。
【００１１】
本発明の目的は、ハイブリッドなファインダ装置を通し撮影者の目に投影する画像を見やすい画像とするデジタルカメラ及びそのファインダ表示制御方法並びにファインダ表示制御装置を提供することにある。
【課題を解決するための手段】
【００１２】
本発明のファインダ表示制御装置は、被写体側ファインダ窓と撮影者側ファインダ覗き窓との間に配置されたハーフミラーと、該ハーフミラーに表示情報を反射させ前記撮影者側ファインダ覗き窓の方向に前記表示情報を投影する表示装置と、前記ハーフミラーを透過した被写体からの入射光像に前記表示情報を重ねて投影するとき前記被写体の明るさを判断する制御手段と、該明るさが所定閾値以上であるか否かにより前記表示装置に表示する情報の表示色を決定する色決定手段とを備えることを特徴とする。
【００１３】
本発明のファインダ表示制御方法は、被写体側ファインダ窓と撮影者側ファインダ覗き窓との間に配置されたハーフミラーと、該ハーフミラーに表示情報を反射させ前記撮影者側ファインダ覗き窓の方向に前記表示情報を投影する表示装置とを備えるファインダ装置のファインダ表示制御方法であって、前記ハーフミラーを透過した被写体からの入射光像に前記表示情報を重ねて投影するとき前記被写体の明るさを判断し、該明るさが所定閾値以上であるか否かにより前記表示装置に表示する情報の表示色を決定することを特徴とする。
【００１４】
また、本発明の撮像装置は、カラー画像撮像用の固体撮像素子と、上記記載のファインダ表示制御装置とを搭載したことを特徴とする。
【発明の効果】
【００１５】
本発明によれば、被写体が明るすぎる場合と暗い場合とでＥＶＦ用の表示情報の表示色を変えるため、見易い合成画像をファインダに表示させることが可能となる。
【図面の簡単な説明】
【００１６】
【図１】本発明の一実施形態に係るデジタルカメラの外観斜視図である。
【図２】図１に示すデジタルカメラの内部構成図である。
【図３】光学ビューファインダを通した光学像の一例（ａ）と、この光学像に重ねて表示するＥＶＦによる情報の一例（ｂ）を示す図である。
【図４】図３（ａ）と図３（ｂ）を重ねて表示した例を示す図である。
【図５】図３（ｂ）に示す各情報の表示色決定処理手順を示すフローチャートである。
【発明を実施するための形態】
【００１７】
以下、本発明の一実施形態について、図面を参照して説明する。
【００１８】
図１は、本発明の一実施形態に係るコンパクトタイプのデジタルカメラの外観斜視図である。本実施形態の撮像装置であるデジタルスチルカメラ１０は、矩形の筐体１１を備え、正面中央に沈胴式のレンズ鏡筒１２が設けられ、レンズ鏡筒１２内に撮影レンズ（焦点位置合わせレンズやズームレンズ等）１３が収納されている。
【００１９】
筐体１１の上端面の片側にはシャッタレリーズボタン１４が設けられ、シャッタレリーズボタン１４とは反対側の角の筐体１１内には、詳細は後述するハイブリッド形式のファインダ装置１５が設けられている。ファインダ装置１５の被写体側ファインダ窓１６が、筐体１１正面の角部に設けられ、その背面側に、ファインダ装置１５の撮影者側ファインダ覗き窓１７が設けられている。
【００２０】
図２は、図１に示すデジタルカメラ１０の内部ブロック構成図である。デジタルカメラ１０は、単板式カラー画像撮像用の固体撮像素子２１と、固体撮像素子２１の前段に置かれた撮影レンズ１３（ズームレンズを１３ａ、フォーカス用レンズを１３ｂとする。）と、絞り（アイリス）２４と、固体撮像素子２１の出力信号（撮像画像信号）をアナログ信号処理するＣＤＳＡＭＰ（相関二重サンプリング（ＣＤＳ），利得制御増幅器（ＡＭＰ））２５と、ＣＤＳＡＭＰ２５の出力信号をデジタル信号に変換するアナログデジタル（Ａ／Ｄ）変換器２６とを備える。なお、固体撮像素子２１は、この例ではＣＣＤ型であるが、勿論、ＣＭＯＳ型等の他の形式の固体撮像素子でも良い。
【００２１】
デジタルカメラ１０は、更に、Ａ／Ｄ変換器２６から出力されるデジタル信号でなる撮像画像信号を取り込む画像入力コントローラ３１と、このデジタルカメラ１０の全体を統括制御する演算処理装置（ＣＰＵ）３２と、撮像画像信号を画像処理する画像信号処理回路３３と、固体撮像素子２１から出力される画像データから焦点位置を検出するＡＦ検出回路３４と、露出量，ホワイトバランスを自動検出するＡＥ＆ＡＷＢ検出回路３５と、ワークメモリとして使用する記憶手段としてのＳＤＲＡＭ３６と、被写体中の「顔」画像を検出する顔検出回路３７と、被写体中の動体を検出する動体検出回路３８と、画像処理後の撮像画像データをＪＰＥＧ画像やＭＰＥＧ画像に圧縮する圧縮処理回路３９と、カメラ背面等に設けられた液晶表示装置４０やファインダ装置１５内の液晶表示装置（ＥＶＦパネル）６１に撮像画像やスルー画像，後述の各種情報を表示するビデオエンコーダ４１と、記録メディア４２に撮像画像データを保存するメディアコントローラ４３と、これらを相互接続するバス４４とを備える。
【００２２】
このデジタルカメラ１０は、更に、ズームレンズ１３ａの駆動モータに駆動パルスを供給するモータドライバ４６と、フォーカスレンズ１３ｂの位置を駆動するモータに駆動パルスを供給するモータドライバ４７と、絞り２４の絞り位置制御を行う駆動モータに駆動パルスを供給するモータドライバ４８と、固体撮像素子１１に駆動タイミングパルス（電子シャッタパルス，読み出しパルス，転送パルス等）を供給するタイミングジェネレータ４９とを備え、これらは、ＣＰＵ３２からの指令に基づいて動作する。また、ＣＤＳＡＭＰ２５もＣＰＵ３２からの指令に基づいて動作する。
【００２３】
ＣＰＵ３２には、更に、撮影モード／再生モードを切り換えるスイッチ５１と、２段シャッタのシャッタレリーズボタン５２とを備え、これらスイッチ５１，５２から入力されるユーザ指示に基づき、ＣＰＵ３２はデジタルカメラ１０を制御する。更に、本実施形態のデジタルカメラ１０は、ＣＰＵ３２の指示で動作する液晶ドライバ５３を備え、この液晶ドライバ５３は、ファインダ装置１５内の後述の液晶シャッタ（ＯＶＦシャッタ）６２を開閉駆動する。
【００２４】
ファインダ装置１５は、被写体側ファインダ窓１６と撮影者側覗き窓１７との間に、対物レンズ６５と、ＯＶＦシャッタ６２と、ハーフミラー６３を内部に持つプリズム６６と、接眼レンズ６４とがこの順に収納されている。ハーフミラー６３は、好適には、５０％の光を透過し５０％の光を反射する例えば銀膜などで構成されるが、この比率に限るものではない。他の比率、例えば、７０％（又は６０％）の光を透過し３０％（又は４０％）の光を反射する膜でも良く、或いは逆に、３０％（又は４０％）の光を透過し７０％（又は６０％）の光を反射する膜でも良く、透過光と反射光とが両方存在すればよい。
【００２５】
対物レンズ６５のズーム倍率と、ズームレンズ１３ａのズーム倍率とは連動して変化するように、両レンズ６５，１３ａの駆動機構は内部で連結されており、ズームレンズ１３ａがズームして被写体を拡大表示したとき、ファインダ内のＯＶＦ光学像も拡大表示される様になっている。
【００２６】
ハーフミラー６３は、被写体からの入射光軸Ｌに対して斜め４５度に設置されており、ハーフミラー６３に隣接しかつ入射光軸Ｌに対し平行にＥＶＦ用の前述の液晶表示装置６１が設置されている。これにより、ハーフミラー６３を透過した被写体からの入射光と、液晶表示装置６１から発せられハーフミラー６３で反射した光とが重なった状態で撮影者の目に投影される。
【００２７】
液晶表示装置６１には、カメラ背面に設けられた液晶表示装置４０と同じ情報が排他的に表示される様に図示省略の切り替えスイッチが設けられており、撮影者によって切り替えられる。液晶表示装置６１への表示情報は、固体撮像素子２１から出力されるスルー画像情報や、撮影後の撮影画像情報であるが、撮影条件等の情報も表示される。
【００２８】
ＯＶＦシャッタ６２を「開」状態としかつＥＶＦ用カラー表示装置６１を非表示とすることで、ファインダ装置１５は光学式ビューファインダ（ＯＶＦ）として使用され、ＯＶＦシャッタ６２を「閉」状態としかつＥＶＦ用カラー表示装置６１を表示することで、ファインダ装置１５は電子ビューファインダ（ＥＶＦ）として使用されることになる。
【００２９】
また、ＥＶＦ用カラー表示装置６１に撮影情報等の情報を表示させ、ＯＶＦシャッタ６２を「開」状態とすることで、被写体の構図を光学式ビューファインダで確認しながら、撮影条件情報を同時に同一ファインダ枠内で確認することができる。
【００３０】
図３（ａ）は、ファインダ装置１５の被写体側ファインダ窓１６に入射し、ハーフミラー６３を透過し、撮影者側覗き窓１７を透過して撮影者の目に投影された光学像の一例を示しており、図２に示す被写体７０の光学像７０ａがファインダ枠７１の中央に映っている。
【００３１】
図３（ｂ）は、ＥＶＦ用カラー表示装置６１に表示する撮影条件等の情報の一例を示す図である。画面（ファインダ枠７１）の下側に、撮影モード情報７５を示す「Ｐ」（この例ではプログラム撮影モード）が表示され、撮影条件情報（シャッタ速度１／２０００秒、絞りＦ＝５．６、ＩＳＯ感度２００）７６が表示され、右肩に「１９枚」を例示する撮影枚数情報７７が表示されている。また、画面内には、中央部分に、フォーカスさせる位置を示すＡＦフレーム枠７８と、フレーミングガイド線７９とが表示されている。
【００３２】
図４は、この図３（ａ）と図３（ｂ）の各情報を、ＯＶＦシャッタ６２を「開」にして重ねた状態を示している。この様にすることで、光学式ビューファインダによる被写体像に、ＥＶＦによる表示情報を重ねて表示させることができる。
【００３３】
ここで注意することは、図３（ｂ）に示す各情報７５〜７９を「黒」で表示しないことである。光で「黒」色を表現することはできず、実際には光を遮光することで「黒」を表現している。液晶表示装置の場合、黒色にすべき画素位置を遮光してバックライトの光が前面に漏れ出ない様にすることで「黒」を表現している。有機発光素子の様に自発光表示装置の場合には、「黒」を表現する画素位置での発光を停止することで、「黒」を表現している。
【００３４】
このため、この「黒」情報と、光学式ビューファインダの光「有り」の情報とが重ね合わされると、「黒」情報が光有りの「白」で上書きされてしまい、黒で表された情報が消えてしまう。そこで、「黒」での表示は止め、何らかの有彩色で図３（ｂ）に示す各情報７５〜７９を表示する必要がある。
【００３５】
例えば、情報７５，７６として、深緑色の帯内に白抜きの数値等で情報を表示し、情報７７は青色で表示し、枠７８，ガイド線７９は白色で表示する。しかし、この様な色で各情報７５〜７９を表示しても、背景となる光学式ビューファインダを通した光学像によっては、見づらい表示になってしまう。例えば、明るい屋外の光学像が背景にあると、白色の枠７８，ガイド線７９は見づらくなってしまう。
【００３６】
そこで、本実施形態では、背景となる光学像の明るさや色に応じて、図３（ｂ）に示す各情報の表示色を可変表示する。
【００３７】
図５は、光学式ビューファインダで表示される光学像にＥＶＦで表示する情報を重ねて表示するときの表示色決定処理手順を示すフローチャートであり、図２のＣＰＵ３２が実行する。
【００３８】
先ず、ＥＶＦ情報表示の背景となる光学像の明るさが所定閾値α以上で明るいか否かを判定する（ステップＳ１）。この明るさは、固体撮像素子２１から出力される例えば緑色フィルタ搭載画素の出力レベル総加算値の大きさで判定する。
【００３９】
光学像の明るさが明るい場合にはステップＳ２に進み、暗い場合にはステップＳ３に進む。
【００４０】
ステップＳ２では、光学像が明るいため白色が見づらくなるため、枠７８，ガイド線７９の表示色を、明るい光学像と一緒でも見易い黄色で表示する様に決定し、他の情報色も、例えば撮影枚数７７の表示色を青色、情報７５，７６の白抜き表示する帯の色をオレンジ色に決定する。情報の種別毎に表示色を変えることで、情報の区別が直感的に可能となる。
【００４１】
ステップＳ３では、光学像の明るさが暗いため白色が見易くなるため、枠７８，ガイド線７９の表示色を、白色で表示する様に決定し、他の情報色も、撮影枚数７７の表示色を青色、情報７５，７６の白抜き表示する帯の色を深緑色に決定する。
【００４２】
ステップＳ２，Ｓ３における各情報毎の表示色は、予めテーブルデータとして決めておき、ＣＰＵ３２内のＲＯＭ等に格納しておく。
【００４３】
ステップＳ２，Ｓ３の次のステップＳ４では、各情報７５〜７９の各情報色が光学像の背景色と同じ色あるいは同系統の色となるため表示情報が見づらくなるか否かを判定する。固体撮像素子２１から出力されるＲ（赤），Ｇ（緑），Ｂ（青）の各色信号から、例えば画面を８×８＝６４の領域に分割し、各分割領域毎の支配的な背景色を検出し、各分割領域毎にステップＳ４の判定を行う。
【００４４】
そして、表示情報色が背景色と一致あるいは近い分割領域がある場合には、ステップＳ５に進んでその分割領域に表示される情報の表示色を、支配的背景色の補色など見易い色に変更してこの処理を終了する。この変更処理は、ＣＰＵ３２が配下の画像信号処理回路（ＤＳＰ）３３を使い行う。表示情報色が背景色と一致あるいは近い分割領域がない場合にはこのステップＳ５を飛び越してこの処理を終了する。
【００４５】
例えば、撮影枚数７７の情報表示色は「青色」であるが、真っ青な空を写す場合、撮影枚数の情報が背景の濃い空色に隠れてしまうため、撮影枚数７７の情報表示色を、例えば黄色等に変更する。
【００４６】
なお、情報７６として表示する帯の色が、背景の分割領域毎に異なる色になってしまうと見づらいため、複数の分割領域に渡る同一情報の場合には、同一色とする様に制御する。
【００４７】
上述した実施形態では、ＯＶＦシャッタ６２を搭載した例を説明したが、常時、ＯＶＦによる被写体の光学像にＥＶＦの表示情報を重ねて表示する構成の場合には、ＯＶＦシャッタ６２は必ずしも必要ない。
【００４８】
以上述べた実施形態のファインダ表示制御方法及びその装置は、被写体側ファインダ窓と撮影者側ファインダ覗き窓との間に配置されたハーフミラーと、該ハーフミラーに表示情報を反射させ前記撮影者側ファインダ覗き窓の方向に前記表示情報を投影する表示装置とを備えるファインダ装置において、前記ハーフミラーを透過した被写体からの入射光像に前記表示情報を重ねて投影するとき前記被写体の明るさを判断し、該明るさが所定閾値以上であるか否かにより前記表示装置に表示する情報の表示色を決定することを特徴とする。
【００４９】
また、実施形態のファインダ表示制御方法及びその装置は、前記表示色として黒色以外の有彩色を用いることを特徴とする。
【００５０】
また、実施形態のファインダ表示制御方法及びその装置は、前記被写体からの入射光像に重ねて投影する前記表示情報が撮影条件情報であることを特徴とする。
【００５１】
また、実施形態のファインダ表示制御方法及びその装置は、前記表示情報の表示色が前記入射光像の支配的背景色と一致或いは近い色のときは前記表示色を前記支配的背景色と異なる色に変更することを特徴とする。
【００５２】
また、実施形態のファインダ表示制御方法及びその装置は、前記明るさの情報
はカラー画像撮像用の固体撮像素子の出力信号で判断することを特徴とする。
【００５３】
また、実施形態のファインダ表示制御方法及びその装置の前記背景色の情報はカラー画像撮像用の固体撮像素子の出力信号で判断することを特徴とする。
【００５４】
また、実施形態のファインダ表示制御方法及びその装置の前記情報の表示色は該情報毎に異なる色にすることを特徴とする。
【００５５】
また、実施形態の撮像装置は、カラー画像撮像用の固体撮像素子と、上記のいずれかに記載のファインダ表示制御装置とを搭載したことを特徴とする。
【００５６】
上述した実施形態によれば、ハイブリッドなファインダ装置を通し撮影者の目に投影する画像を見やすい画像とすることができる。
【産業上の利用可能性】
【００５７】
本発明に係るファインダ装置の表示色制御方法によれば、光学像の明るさに応じてＥＶＦ情報の表示色を変更するため、見易いハイブリッドファインダ装置を提供することができ、デジタルカメラに適用すると有用である。
【符号の説明】
【００５８】
１０  デジタルカメラ
１１  筐体
１３  撮影レンズ
１５  ハイブリッドなファインダ装置
１６  被写体側ファインダ窓
１７  撮影者側覗き窓
２１  固体撮像素子
３２  ＣＰＵ
３３  画像信号処理回路
６１  ＥＶＦ用液晶表示装置
６２  ＯＶＦシャッタ
６３  ハーフミラー
７５〜７９  ＥＶＦ用各種情報
【図１】
2012063643.tif 000003
【図２】
2012063643.tif 000004
【図３】
2012063643.tif 000005
【図４】
2012063643.tif 000006
【図５】
2012063643.tif 000007